(57)【特許請求の範囲】
【請求項１】
フレキシブルな胴体と、
前記胴体の下面に付着され、消炎剤及び鎮痛剤からなる薬品が混合された粘着剤からなる薬剤層と、
前記胴体の上面に付着され、振動モーター及びバッテリーを備える振動モジュールと、
前記胴体の縁に沿って設置される粘着力が付加された複数の脚部と、
前記複数の脚部は、粘着力が付加された吸着盤及び前記胴体と吸着盤を連結するために前記胴体から延設されたフレキシブルな連結部からなり、前記連結部は前記胴体の上方に向けて湾曲した弧形に形成され、前記胴体を患部に密着させるように弾性力を伝達することを特徴とする振動刺激パッド。
【請求項２】
前記複数の脚部には低周波電極をさらに備えることを特徴とする、請求項１に記載の振動刺激パッド。
【請求項３】
前記胴体の上面には発熱線を内蔵した発熱層をさらに備えることを特徴とする、請求項１に記載の振動刺激パッド。
【請求項４】
前記発熱層及び振動モジュールは前記胴体の上面に順次に設置されることを特徴とする、請求項３に記載の振動刺激パッド。
【発明の詳細な説明】
【技術分野】
【０００１】
本発明は振動刺激パッドに係り、特に関節部位のように付着し難い患部に容易に付着することができるように構成された振動刺激パッドに関するものである。
【背景技術】
【０００２】
一般に、身体の患部に付着して使用するパッドとしては、消炎や鎮痛の薬剤が含有された各種の湿布剤（各種の貼付剤類及びパフ類）などが知られている。これらは略四角形の基材の一面に薬品が混合された粘着剤が塗布され、粘着剤部分に離型紙が付着された形態として提供される。
【０００３】
そして、このような湿布剤は、粘着剤に付着された離型紙を分離した後、粘着剤の粘着力を用いてパッド全体を患部に付着すれば、粘着剤に含まれた薬成分が患部の皮膚中に浸透する方式で使われる。
【０００４】
しかし、このような湿布剤は、薬を服用するとか、注射するとか、または患部に直接塗るものではなく、粘着剤に含まれた薬成分が接触している皮膚を通じて吸収される方式であるため、薬成分が皮膚に吸着してその効果が皮膚中に深く浸透しにくい問題があった。
【０００５】
また、従来の湿布剤は、関節痛や筋肉痛を緩和させるための用途に製造されて痛症部位に直接付着されるばかりで、内科的症状や痛症にはよくきかないものであるので、その機能や用途が単純であるしかなかった。
【０００６】
前記の理由で、患部に対する薬成分の浸透効果を増大させるための技術的な努力が注がれており、その一環として振動を発生させて薬成分の浸透効果を増大させる技術が開示されている。
【０００７】
図１は従来の振動刺激パッドの一例を示した図である。同図に示すように、従来の振動刺激パッド１０は、パッド１１、制御部１２、電源供給部１３、振動発生部１４、磁気力発生部１５、カバー１６、剥離紙１７、不織布１８などを含んでなる。制御部１２、電源供給部１３及び振動発生部１４は互いに接続される状態でパッド１１の一面に設置され、このような面に磁石からなる磁気力発生部１５及び粒子状の遠赤外線発生物質１９が付着される。そして、カバー１６は制御部１２、電源供給部１３及び振動発生部１４を覆うようにパッド１１に付着され、剥離紙１７はパッド１１の他面に付着される。最後に、不織布１８はパッド１１の一面に全面を覆うように付着される。
【０００８】
しかし、前記のような従来の振動刺激パッドは、その外形及び患部に対する付着の機能が既存の振動機能のないパッドと同様であるため、既存のパッドが人体の関節部位に円滑に付着されない問題点を依然として有する。
【０００９】
すなわち、従来の振動刺激パッドは、人体の患部に付着される力がその粘着剤層の粘着力にだけ依存するが、人体の関節部位は通常一つ以上の折曲部を持つだけでなく、人体の活動時に折曲部を中心に随時遊動する。これにより、振動刺激パッドは、関節の折曲部を中心に一部領域が患部から分離され、このように患部から分離された領域はその粘着剤層が空気に露出されて徐々に乾き、時間が経つにつれて粘着力が低下し、結局患部に付着することができない状態となる。
【００１０】
したがって、関節部位のように付着し難い患部に容易に付着することができる改善された形態の振動刺激パッドの開発が要求されている実情である。
【００１１】
また、従来の振動刺激パッドは振動によって薬剤成分を患部に一層よく浸透させる機能のみを持つだけで、その他の機能を提供することができなく、その機能が非常に制限されていた。
【発明の概要】
【発明が解決しようとする課題】
【００１２】
したがって、本発明は前記のような問題点を解決するためになされたもので、関節部位のように付着し難い患部に容易に付着することができる振動刺激パッドを提供することに目的がある。
【００１３】
また、本発明は、患部に振動を加えることで、振動刺激による物理治療を実施するとともに薬性分の浸透効果を極大化することができる振動刺激パッドを提供することに目的がある。
【００１４】
また、本発明は、患部を湿布するとか患部に低周波刺激を加えることにより、患部の鎮静及び鎮痛を図る振動刺激パッドを提供することに目的がある。
【課題を解決するための手段】
【００１５】
前記のような目的を達成するための本発明の振動刺激パッドは、フレキシブルな胴体と、前記胴体の下面に付着され、消炎剤及び鎮痛剤からなる薬品が混合された粘着剤からなる薬剤層と、前記胴体の上面に付着され、振動モーター及びバッテリーを備える振動モジュールと、前記胴体の縁に沿って設置される粘着力が付加された複数の脚部とを含んでなる。
【００１６】
また、前記複数の脚部は、粘着力が付加された吸着盤及び前記胴体と吸着盤を連結するために前記胴体から延設されたフレキシブルな連結部からなり、前記連結部は前記胴体の上方に向かって湾曲した弧形に形成され、前記胴体を患部に密着させるように弾性力を伝達することを特徴とする。
【００１７】
また、前記複数の脚部には低周波電極をさらに備えることを特徴とする。
【００１８】
また、前記胴体の上面には発熱線を内蔵した発熱層をさらに備えることを特徴とする。
【００１９】
また、前記発熱層及び振動モジュールは前記胴体の上面に順次に設置されることを特徴とする。
【発明の効果】
【００２０】
本発明によれば、振動刺激パッドがフレキシブルな素材の胴体及び胴体の縁に沿って付着されるとともに粘着力を有する複数の脚部により、関節部位のように付着し難い患部にも容易に付着することができる。すなわち、関節に沿って折り曲げられる部位に複数の脚部が付着されることにより、振動刺激パッドの口が患部から剥がれることを最大に抑制する。
【００２１】
また、胴体に付着された振動モジュールによって患部に振動を加えることによって振動刺激による物理治療を実施するとともに胴体の患部と対面する部位に付着された薬剤層に含まれた薬性分の浸透効果を極大化することができる。
【００２２】
また、発熱層と複数の脚部に付着された低周波電極によって患部を湿布するとか患部に低周波刺激を加えることにより、患部の鎮静及び鎮痛を図り、これにより振動モジュール、発熱層、低周波電極及び各種の新薬剤、または漢方薬剤を含む薬剤層によって物理治療及び薬物治療を同時に並行することができる。
【図面の簡単な説明】
【００２３】
【図１】従来の振動刺激パッドを示す図である。
【図２】本発明による振動刺激パッドを分解して示す斜視図である。
【図３】図２の結合状態を示す斜視図である。
【図４】図３の断面図である。
【発明を実施するための形態】
【００２４】
以下、本発明の好適な実施例を添付図面に基づいて詳細に説明する。
【００２５】
図２は本発明による振動刺激パッドを分解して示す斜視図であり、図３は図２の結合状態を示す斜視図であり、図４は図３の断面図である。
【００２６】
図２〜図４に示すように、本発明による振動刺激パッドＡは、フレキシブルな胴体１００と、前記胴体１００の下面、つまり患部と対面する部位に付着され、消炎剤及び鎮痛剤からなる薬品が混合された粘着剤で構成される薬剤層２００と、前記胴体１００の上面に付着され、振動モーター３１０及びバッテリー３２０を備える振動モジュール３００とからなる。
【００２７】
まず、前記胴体１００はフレキシブルな（ｆｌｅｘｉｂｌｅ）プラスチックまたはシリコンなどからなり、その形状は四角形である。 
【００２８】
また、前記胴体１００の縁に沿って粘着力が付加された複数の脚部４００が延設される。
【００２９】
この際、前記複数の脚部４００は、前記胴体１００の縁に沿って等間隔に６〜８個形成されることが好ましい。ただ、前記複数の脚部４００の形成箇所は必要によって加減することができるのは言うまでもない。
【００３０】
そして、前記複数の脚部４００は、粘着力が付加された吸着盤４１０と、前記胴体１００と吸着盤４１０を連結するために前記胴体１００から延設されたフレキシブルな連結部４２０とからなる。この際、前記連結部４２０は前記胴体１００の上方に向けて湾曲した弧形に形成される。前記連結部４２０は吸着盤４１０によって患部に固定された状態で前記胴体１００が患部に密着するように前記胴体に弾性力を印加することになる。
【００３１】
一方、前記複数の脚部４００は胴体から延設され、前記胴体１００と同一素材から形成される。ただ、前記連結部４２０がフレキシブルな素材から形成されて前記胴体１００の固定力が足りない場合には前記胴体１００より弾性力の良い異種素材から形成されても構わない。
【００３２】
よって、フレキシブルな素材から形成された前記胴体１００と、前記胴体１００の縁に沿って付着され、粘着力が付加された複数の脚部４００とにより、関節部位のように付着し難い患部に容易に付着することができるようになる。
【００３３】
すなわち、関節に従って折り曲げられる部位に複数の脚部４００が付着されることにより、本発明の振動刺激パッドＡが患部から剥がれることを最大に抑制する。
【００３４】
また、前記複数の脚部４００には低周波電極５００をさらに備え、前記低周波電極５００は前記吸着盤４１０に備えられることが好ましい。前記低周波電極５００は振動モジュール３００のバッテリー３２０から電源が供給される。
【００３５】
さらに、前記胴体１００または振動モジュール２００には、前記バッテリー３２０から印加される電源によって低周波電流を発生させて低周波電極５００に供給する発振器（図示せず）などをさらに備えることが好ましい。
【００３６】
そして、前記胴体の上面には発熱線６１０を内蔵した発熱層６００をさらに備え、前記発熱層６００も振動モジュール３００のバッテリー３２０から電源が供給される。
【００３７】
一方、本発明の振動刺激パッドＡにはバッテリー３２０に接続されて電源供給を制御する電源スイッチ３３０がさらに備えられ、前記電源スイッチ３３０がオンされるとき、振動モジュール３００、低周波電極５００及び発熱層６００に電源が供給される。
【００３８】
また、前記発熱層６００及び振動モジュール３００は前記胴体１００の上面に順次に設置される。
【００３９】
前述した図２〜図４の実施例から分かるように、本発明の振動刺激パッドＡは、胴体１００に付着された振動モジュール３００によって患部に振動を加えることにより、振動刺激による物理治療を実施するとともに胴体１００の患部と対面する部位に付着された薬剤層２００に含まれた薬性分の浸透効果を極大化する。
【００４０】
また、発熱層６００と複数の脚部４００に付着された低周波電極５００によって患部を湿布し又は患部に低周波刺激を加えることにより、患部の鎮静や鎮痛を図る。したがって、振動モジュール３００、発熱層６００、低周波電極５００、及び各種の西洋薬剤や漢方薬剤を含む薬剤層２００によって物理治療と薬物治療を同時に並行することができる。
【００４１】
一方、図２〜図４は本発明の振動刺激パッドＡの内部構成を容易に把握でき、容易に説明するために、その全厚を厚く誇張して示したが、実際の製品はスリム（ｓｌｉｍ）に製造されることは言うまでもない。
【００４２】
以上説明したものは本発明による振動刺激パッドを実施するための一実施例に過ぎなく、本発明は前述した実施例に限定されなくて、以下の請求範囲で請求する本発明の要旨を逸脱することなしに本発明が属する分野で通常の知識を有するものであれば誰でも多様な変更実施が可能な範囲まで本発明の技術的精神があると言える。
【符号の説明】
【００４３】
Ａ    振動刺激パッド
１００    胴体
２００    薬剤層
３００    振動モジュール
４００    脚部
５００    低周波電極
６００    発熱層
【図１】
0005878984.tif 000002
【図２】
0005878984.tif 000003
【図３】
0005878984.tif 000004
【図４】
0005878984.tif 000005